(57)【要約】【課題】この発明は，シリコーン系グリースに含まれるシリコーン系オイルの潤滑部以外への油分の滲み出し拡散を防止することができる非拡散性潤滑剤組成物及び基油の拡散防止方法を提供することである。【解決手段】  この非拡散性潤滑剤組成物は，シリコーン系グリース３に基油拡散防止剤５及び有機溶剤４を配合して構成されている。非拡散性潤滑剤組成物１を基材表面２に塗布し，基油拡散防止剤５が溶け込んだ有機溶剤４が基材表面２に拡散して蒸発し，シリコーン系グリース３の周囲に基油拡散防止剤５の膜が形成され，それによって基油拡散防止剤５の膜によりシリコーン系グリース３に含まれるシリコーン系オイルの基材表面２での拡散が防止される。【選択図】図１
2008201901.tif 000002
【特許請求の範囲】
【請求項１】
シリコーン系オイルを基油として含んでいるシリコーン系グリース５．００〜９８．００重量部に，基油拡散防止剤０．０３〜１５．００重量部と有機溶剤２．００〜９５．００重量部を配合したことから成る非拡散性潤滑剤組成物。
【請求項２】
前記シリコーン系グリースの基油として，２５℃での動粘度が１〜
５０００００ｍｍ2 ／ｓのシリコーン系オイルを１種又は２種以上が配合されていることから成る請求項１に記載の非拡散性潤滑剤組成物。
【請求項３】
前記シリコーン系オイルは，ジメチルシリコーンオイル，メチルフェニルシリコーンオイル，メチルハイドロジェンシリコーンオイル，又は各種の変性シリコーンオイルを１種又は２種以上が配合されていることから成る請求項１又は２に記載の非拡散性潤滑剤組成物。
【請求項４】
前記シリコーン系グリースの増ちょう剤として，金属石けん及び非金属石けんの群から選択された１種又は２種以上が配合されていることから成る請求項１〜３のいずれか１項に記載の非拡散性潤滑剤組成物。
【請求項５】
前記基油拡散防止剤として，フッ素系界面活性剤及びフッ素系シラン化合物の群から選択された１種又は２種以上が配合されていることから成る請求項１〜４のいずれか１項に記載の非拡散性潤滑剤組成物。
【請求項６】
前記有機溶剤として，フッ素系溶剤，アルコール系溶剤，エーテル系溶剤，エステル系溶剤，炭化水素系溶剤の群から選択された１種又は２種以上が配合されていることから成る請求項１〜５のいずれか１項に記載の非拡散性潤滑剤組成物。
【請求項７】
酸化防止剤，油性剤，極圧剤，腐食防止剤，金属不活性剤，ポリマー，固体潤滑剤から選択される１種又は２種以上の非拡散性を損害しない添加剤が配合されていることから成る請求項１〜６のいずれか１項に記載の非拡散性潤滑剤組成物。
【請求項８】
請求項１〜７のいずれか１項に記載のシリコーン系オイルを基油として含んでいるシリコーン系グリース，基油拡散防止剤及び有機溶剤を含む非拡散性潤滑剤組成物を，相対移動可能な部材の少なくとも一方の基材表面に塗布し，前記基材表面への前記非拡散性潤滑剤組成物の塗布により前記基油拡散防止剤が溶け込んだ前記有機溶剤が前記基材表面に拡散し，次いで前記有機溶剤が前記基材表面から蒸発し，前記基材表面に塗布された前記シリコーン系グリースの少なくとも周囲に前記基油拡散防止剤の膜が前記基材表面に形成され，前記基油拡散防止剤の前記膜により前記基油の前記基材表面上での拡散を防止することを特徴とする基材表面での基油の拡散防止方法。
【発明の詳細な説明】
【技術分野】
【０００１】
この発明は，シリコーン系グリースに含まれる基油であるシリコーン系オイルが基材表面の潤滑部以外の領域に滲み出して拡散するニジミが発生するのを防止する非拡散性潤滑剤組成物及び基材表面での基油の拡散防止方法に関する。
【背景技術】
【０００２】
近年，精密機器，測定機器，検査機器等の機器について，急速な高性能化，小型化，高速摺動化に伴って，それらの機器の機械的な潤滑部，回転部，摺動部等に使用されている潤滑剤に対しても，従来よりも更に優れた特性や品質が要求されるようになってきた。
【０００３】
ところで，潤滑剤については，より広い技術分野にわたって使用可能とするため，例えば，コンピュータ制御による自動化の促進がより低トルク化，耐熱性，低温性，メンテナンスフリーを実現させるための長寿命化等の各種の性能の要求となってきている。その結果として，潤滑油の基油成分が鉱油から合成油へと変わり，その合成油も合成炭化水素油からシリコーン油やフッ素油へと技術展開されてきている。
【０００４】
従来技術として，グリース中の油分が拡散しないグリースの基油拡散防止剤が知られている。該グリースの基油拡散防止剤は，合成潤滑油を基油とするグリースに添加するためであり，疎水性基としてパーフルオロカーボンチェーンをもち且つ親水性基としてヒドロキシエチレン基又はそのリン酸エステルを末端にもつフッ素系界面活性剤から構成されている（例えば，特許文献１参照）。
【０００５】
また，オゾン層の破壊という環境問題が起きることがなく，人体に対する毒性の問題や引火という危険な状況が発生することがないグリースの拡散防止法及びグリースの拡散防止剤が知られている。該グリースの拡散防止法は，フッ素系界面活性剤が０．０５重量部乃至１５重量部，水及び水に溶解する溶剤が９９．５重量部乃至８５重量部から成るグリースの拡散防止剤を基材の表面に付着させる第１工程と，付着した前記拡散防止剤を乾燥させる第２工程とから構成されている（例えば，特許文献２参照）。
【０００６】
更に，フッ素系ポリマーをフッ素系溶剤に溶かした拡散防止剤を部品に塗布する必要がない非拡散組成物が知られている。該非拡散組成物は，フッ素系シラン化合物を潤滑油又はグリースに少なくとも０．０１質量％以上含有することを特徴とするものである（例えば，特許文献３参照）。
【０００７】
また，グリースに添加することにより油分拡散を小さく抑えるグリースの基油拡散防止剤が知られている。該グリースの基油拡散防止剤は，合成潤滑油を基油とするグリースに添加するための基油拡散防止剤であり，疎水性基としてパーフルオロカーボンチェーンをもち且つ親水性基としてポリオキシエチレンをもつフッ素系界面活性剤から成ることを特徴とするものである（例えば，特許文献４参照）。
【０００８】
グリース成分中から油分の離油，離漿を無くし，潤滑に供する部分のみに油分が存在し，その他の部分にはグリースが拡散しない非拡散性フッ素系グリース組成物が知られている。該非拡散性フッ素系グリース組成物は，フッ素系グリースに各種シリコーン油を０．１〜５０％含むことを特徴とするものである（例えば，特許文献５参照）。
【０００９】
また，塗布面からのグリース成分中の油分又は油状添加物の拡散が抑制されるシリコーングリース組成物が知られている。該シリコーングリース組成物は，変性シリコーンオイルを基油とし，疎水基としてのポリフルオロアルキレン基と，親水基としてのポリオキシエチレン及び／又はポリオキシプロピレン基とからなるフッ素系界面活性剤が配合されている。ポリフルオロアルキレン基は，炭素数が３〜２１であるパーフルオロアルキレン基であり，また，ポリオキシエチレン及び／又はポリオキシプロピレンの単位数は，１〜１０である（例えば，特許文献６参照）。
【特許文献１】特公平４−４６９９９号公報
【特許文献２】特開平４−２２４８９６号公報
【特許文献３】特開平５−７８６８２号公報
【特許文献４】特開平８−１７６５７５号公報
【特許文献５】特開２０００−１０９８７４号公報
【特許文献６】特開２００５−２４７９９８号公報
【発明の開示】
【発明が解決しようとする課題】
【００１０】
しかしながら，グリースについて，潤滑油の基油が上記のように鉱油から合成油に変わると，グリース化し難い点がもたらす性能の維持，特に，低トルク化への要求に応えるため，より低粘度の合成油を使用することになるので，離油及び離漿を如何に抑えるかが重要な技術的課題となってきた。
【００１１】
例えば，精密機器類が小型化し高集積化してくると，潤滑剤を必要とする箇所の近くに電気接点部分，レンズ，樹脂部品等の機器が存在し，それらにグリースから分離した基油が滲出即ち拡散してくると，接点不良を起こしたり，レンズを曇らしたり，樹脂部品を汚染したり等の問題が発生し，最終的には精密機器そのものの性能を停止させてしまうなどの重大なトラブルを発生させたりし，機器に対して好ましくない状況が発生する。また，グリースによるこのような好ましくない報告例が存在している。
【００１２】
上記のような問題を防止するために，グリースからの油分の離油や離漿の少ない潤滑剤や，基油が潤滑面以外の領域に拡散しない潤滑剤の開発が，各方面から強く要望されてきている。
【００１３】
特に，シリコーン系オイルを含むシリコーン系潤滑剤は，基油拡散防止のための添加剤に適当なものが存在しないため，各方面からシリコーン系潤滑剤の基油の滲出即ち拡散防止が求められている。
【００１４】
上記各公報に開示されている従来の技術は，潤滑油の基油として，合成油を使用するものであり，具体的には，合成炭化水素油，エチレンとα−オレフィンとのコオリゴマ−油，シリコーン油，ジエステル油等が使用されている。しかしながら，いずれの技術も，シリコーン系オイルを含む潤滑剤，例えば，シリコーン系グリースに対しては，要求に応えきれるものではない。
【００１５】
この発明の目的は，上記の課題を解決することであり，シリコーン系オイルの基油を含んでいるシリコーン系グリースに基油拡散防止剤と有機溶剤を混合することにより，シリコーン系グリースに含まれるシリコーン系オイルが基材表面の潤滑部以外の領域へ滲み出して拡散するニジミが発生するのを防止することができる非拡散性潤滑剤組成物及び基材表面での基油の拡散防止方法を提供することである。
【課題を解決するための手段】
【００１６】
この発明は，シリコーン系オイルを基油として含んでいるシリコーン系グリース５．００〜９８．００重量部に，基油拡散防止剤０．０３〜１５．００重量部と有機溶剤２．００〜９５．００重量部を配合したことから成る非拡散性潤滑剤組成物に関する。
【００１７】
また，この非拡散性潤滑剤組成物は，前記シリコーン系グリースの基油として，２５℃での動粘度が１〜５０００００ｍｍ2 ／ｓのシリコーン系オイルを１種又は２種以上が配合されているものである。
【００１８】
また，この非拡散性潤滑剤組成物において，前記シリコーン系オイルは，ジメチルシリコーンオイル，メチルフェニルシリコーンオイル，メチルハイドロジェンシリコーンオイル，又は各種の変性シリコーンオイルである。
【００１９】
また，この非拡散性潤滑剤組成物は，前記シリコーン系グリースの増ちょう剤として，金属石けん及び非金属石けんの群から選択された１種又は２種以上が配合されているものである。
【００２０】
また，この非拡散性潤滑剤組成物は，前記基油拡散防止剤として，フッ素系界面活性剤及びフッ素系シラン化合物の群から選択された１種又は２種以上が配合されているものである。
【００２１】
また，この非拡散性潤滑剤組成物は，前記有機溶剤として，フッ素系溶剤，アルコール系溶剤，エーテル系溶剤，エステル系溶剤，炭化水素系溶剤の群から選択された１種又は２種以上が配合されているものである。
【００２２】
また，この非拡散性潤滑剤組成物は，酸化防止剤，油性剤，極圧剤，腐食防止剤，金属不活性剤，ポリマー，固体潤滑剤から選択される１種又は２種以上の非拡散性を損害しない添加剤を配合することができるものである。
【００２３】
また，この発明は，上記の基油を含んでいる非拡散性潤滑剤組成物を，相対移動可能な潤滑部材の少なくとも一方の基材表面に塗布し，前記非拡散性潤滑剤組成物の前記基材表面への塗布により前記基油拡散防止剤が溶け込んだ前記有機溶剤が前記基材表面に拡散し，次いで前記有機溶剤が前記基材表面から蒸発し，前記基材表面に塗布された前記シリコーン系グリースの少なくとも周囲に前記基油拡散防止剤の膜が前記基材表面に形成され，前記基油拡散防止剤の前記膜により前記基油の前記基材表面への拡散を防止することを特徴とする基材表面での基油の拡散防止方法に関する。
【発明の効果】
【００２４】
この発明は，上記のように構成したので，基材表面でのシリコーン系グリースの基油の滲み出し即ち拡散が抑制される。即ち，この非拡散性潤滑剤組成物は，精密機器，検査機器，測定機器等の各種機器の潤滑部，摺動部，回転部の基材表面に塗布して潤滑に供する部分以外へのシリコーン系オイルの流出を抑制した非拡散性に優れたものとなる。即ち，この非拡散性潤滑剤組成物は，シリコーン系グリース中のシリコーン系オイルが潤滑面以外へニジミ出していく現象を阻害した非拡散性に優れたものであり，基油となる潤滑剤の特性を阻害することなく，潤滑面以外への基油拡散を防止することができる。
【発明を実施するための最良の形態】
【００２５】
以下，この発明による非拡散性潤滑剤組成物及び基油の拡散防止方法について説明する。この非拡散性潤滑剤組成物は，小型化，高集積化して精密機器，検査機器，測定機器等の各種機器における回転部，摺動部，潤滑部における基材表面に塗布して使用し，油分の基材表面でのニジミ，拡散を防止した好ましいものである。即ち，この非拡散性潤滑剤組成物は，基材表面に塗布して潤滑剤を必要とする箇所の近くの電気接点部分の接点不良，レンズ等を曇らしたり，樹脂部品等が汚損，損傷等の問題を発生させることなく，機器の耐久化，長寿命化等の性能に悪影響を与えず，グリースによるトラブルを発生させないものである。
【００２６】
この発明による非拡散性潤滑剤組成物は，その主要な構成要素が，シリコーン系グリ  ース，有機溶剤，及び基油拡散防止剤から構成されている。この非拡散性潤滑剤組成物は，特に，基油拡散防止のための有効な手段がなかったシリコーン系グリースを基グリースとしている。この非拡散性潤滑剤組成物は，基グリースとなるシリコーン系グリース以外に，有機溶剤と基油拡散防止剤を適正量配合することによって，はじめて十分な基油拡散防止効果が得られるものであり，即ち，シリコーン系グリースに，有機溶剤と基油拡散防止剤の両者を配合した場合のみ，十分な基油拡散防止効果が得られるものである。
【００２７】
この非拡散性潤滑剤組成物は，特に，シリコーン系オイルの基油を含んでいるシリコーン系グリース５．００〜９８．００重量部に，基油拡散防止剤０．０３〜１５．００重量部と有機溶剤２．００〜９５．００重量部を配合したもので作製することができる。この非拡散性潤滑剤組成物について，具体的には，シリコーン系グリースは，好ましくは１５〜７７．００重量部の範囲であり，基油拡散防止剤は，０．０３〜１５．００が好ましい範囲であり，また，有機溶剤は，好ましくは２０．００〜８２．００重量部の範囲である。
【００２８】
この非拡散性潤滑剤組成物について，シリコーン系グリースの基油として，２５℃での動粘度が１〜５０００００ｍｍ2 ／ｓのシリコーン系オイルが１種又は２種以上配合されていることが好ましい。また，シリコーン系オイルは，ジメチルシリコーンオイル，メチルフェニルシリコーンオイル，メチルハイドロジェンシリコーンオイル，又は各種の変性シリコーンオイルを１種又は２種以上配合しているものである。
【００２９】
また，この非拡散性潤滑剤組成物において，シリコーン系グリースの増ちょう剤として，金属石けん及び非金属石けんの群から選択された１種又は２種以上が配合されているものである。シリコーン系グリースの増ちょう剤である金属石けんは，好ましくは，ナトリウム石けん，ナトリウムコンプレックス石けん，リチウム石けん，リチウムコンプレックス石けん，アルミニウム石けん，アルミニウムコンプレックス石けん，カルシウム石けん，カルシウムコンプレックス石けん及び／又はカルシウムスルフォネートコンプレックス石けんである。また，非金属石けんは，好ましくは，ウレア化合物，シリカゲル，ベントナイト化合物及び／又はポリテトラフルオロエチレンである。
【００３０】
また，この非拡散性潤滑剤組成物は，有機溶剤として，フッ素系溶剤，アルコール系溶剤，エーテル系溶剤，エステル系溶剤，炭化水素系溶剤の群から選択された１種又は２種以上が配合されているものである。特に，フッ素系溶剤としては，ハイドロフルオロエーテル（ＨＦＥ），ハイドロフルオロカーボン（ＨＦＣ）及び／又はパーフルオロカーボン（ＰＦＣ）であることが好ましい。
【００３１】
また，この非拡散性潤滑剤組成物は，基油拡散防止剤として，フッ素系界面活性剤及びフッ素系シラン化合物の群から選択された１種又は２種以上が配合されているものである。特に，基油拡散防止剤は，有機溶剤に溶解するものが好ましい。
【００３２】
更に，この非拡散性潤滑剤組成物は，酸化防止剤，油性剤，極圧剤，腐食防止剤，金属不活性剤，ポリマー，固体潤滑剤から選択される１種又は２種以上の非拡散性を阻害しない添加剤を配合することができるものであり，使用環境によって適正な添加剤を添加することが可能である。
【００３３】
この前記非拡散性潤滑剤組成物は，シリコーン系オイルの基油を含んでいるシリコーン系グリース，有機溶剤，及び基油拡散防止剤の配合比をコントロールすることによって，透明な溶液部分と，グリース状又は縣濁した溶液部分とから成る２層を形成している。しかも，この非拡散性潤滑剤組成物は，上記の状態になっている場合には，シリコーン系オイルの拡散防止効果が高くなる。前記２層の形成は，主にシリコーン系グリース中のシリコーン系オイルと有機溶剤との相溶性に依存する。
【００３４】
この発明による非拡散性潤滑剤組成物は，以下のような製法によって生成される。この非拡散性潤滑剤組成物の製法は，予め準備したシリコーン系グリースに，必要量の有機溶剤及び基油拡散防止剤を加え，よく攪拌することにより得られるものである。
【００３５】
次に，図１を参照して，この発明による基材表面での基油の拡散防止方法の一実施例を説明する。非拡散性潤滑剤組成物１は，上記のように，シリコーン系オイルの基油を含んでいるシリコーン系グリース３中に，基油拡散防止剤５が溶けた有機溶剤４の混合液１０が配合されたものである。この基材表面での基油の拡散防止方法は，例えば，相対移動可能な潤滑部材の基材表面２に非拡散性潤滑剤組成物１を塗布することにより，シリコーン系グリース３における基油のシリコーン系オイルが基油拡散防止剤５の作用によって基材表面２に拡散するのを防止するものである。まず，図１の（ａ）に示すように，非拡散性潤滑剤組成物１を基材表面２に塗布することにより，図１の（ｂ）に示すように，基油拡散防止剤５の溶け込んだ有機溶剤４の混合液１０が，基材表面２にシリコーン系グリース３より先に直ちに拡散する。次いで，図１の（ｃ）に示すように，基材表面２から混合液１０中の有機溶剤４が速やかに蒸発し，基材表面２上に基油拡散防止剤５が残されて基材表面２に基油拡散防止剤５が付着して膜となる。即ち，基油拡散防止剤５の膜は，基材表面２に塗布されたシリコーン系グリース３の少なくとも周囲に環状に形成され，それによって基材表面２上の基油拡散防止剤５の環状膜によってシリコーン系グリース３に含まれるシリコーン系オイルの基油が基材表面２の他領域へと拡散するのを防止することができる。
【００３６】
即ち，この非拡散性潤滑剤組成物である非拡散性シリコーン系潤滑剤組成物は，金属表面やプラスチック材料表面の基材表面２に塗布された場合に，その流動性の違いから，シリコーン系グリース３よりも先に，基油拡散防止剤５が溶け込んだ有機溶剤４の混合液１０が基材表面２上に拡散する。この時，基グリースとなるシリコーン系グリース３からシリコーン系オイルが基材表面２上に滲み出るよりも先に，有機溶剤４が基材表面２から蒸発し，金属表面上やプラスチック表面上の基材表面２に取り残された基油拡散防止剤５が膜を形成する。基グリースとなるシリコーン系グリース３は，有機溶剤４の蒸発後に，基油拡散防止５の膜の上又は内側に存在した状態になっているため，シリコーン系グリース３に含まれるシリコーン系オイルの基材表面２上への拡散が基油拡散防止剤５の膜によって防止されることになる。
【実施例】
【００３７】
以下に，図２，表１及び表２を参照して，この発明による非拡散性潤滑剤組成物の具体的な実施例１〜５及び比較例１〜６について説明する。この非拡散性潤滑剤組成物は，基グリースとなるシリコーン系グリースに，有機溶剤と基油拡散防止剤とを配合した後に，よく攪拌し，調整したものであり，これを評価試料７にした。
【００３８】
良く攪拌した試料サンプル即ち評価試料７をニジミ試験用の樹脂フィルム６上に，直径約３ｍｍ，厚さ約２ｍｍの大きさに塗り，２５℃の恒温槽内に２４時間及び１４４時間放置し，油分の広がり具合を観察した。評価は，油分の広がり領域８を，半径の値の拡散幅９で表示する方法で行なった。この非拡散性潤滑剤組成物のニジミ試験のニジミ測定値は，図２に示す状態でそれぞれ測定した。
【００３９】
この発明による非拡散性潤滑剤組成物の実施例として，評価試料７として５種類の試料を作製し，実施例１〜５についてのニジミ試験を行い，その効果を確認した。実施例１〜５では，基油にシリコーン系オイルを含む一般的なシリコーン系グリースに，それぞれ異なる量のフッ素系有機溶剤とフッ素系基油拡散防止剤を配合したものであり，実施例１〜５で用いた基グリースとなるシリコーン系グリースは，試料温度２５℃における混和ちょう度を３１０〜３４０とした。その結果を表１に示す。
【表１】
2008201901.tif 000003
【００４０】
実施例１〜５について，２４時間放置の基油即ち油分の広がり領域８を示す拡散幅９は，０．７〜４．１の範囲内に納まり，また，１４４時間放置の基油即ち油分の広がり領域８を示す拡散幅９は，１．８〜１０．０の範囲内に納まり，いずれの実施例１〜５でも樹脂フィルム６上での基油即ち油分の拡散防止に極めて良好な結果を得ることができた。
【００４１】
また，この発明による非拡散性潤滑剤組成物を，従来の組成物と比較するため，比較例１〜６を作製し，比較例１〜６についてのニジミ試験を行った。比較例１は，前記実施例で使用したシリコーン系グリースを用い，また，比較例２〜４は，前記実施例で使用したシリコーン系グリースにそれぞれ異なる量のフッ素系基油拡散防止剤を配合したものを用い，更に，比較例５〜６は，前記実施例で使用したシリコーン系グリースにフッ素系有機溶剤を配合したものを用いた。その結果を表２に示す。
【表２】
2008201901.tif 000004
【００４２】
比較例１は，２４時間放置の基油即ち油分の広がり領域８を示す拡散幅９は，１２．４であり，また，１４４時間放置の基油即ち油分の広がり領域８を示す拡散幅９は，２５．１であった。比較例２〜４は，２４時間放置の油分の広がり領域８を示す拡散幅９は，１３．０〜１４．０の範囲内であり，また，１４４時間放置の油分の広がり領域８を示す拡散幅９は，２３．８〜２４．６であった。更に，比較例５〜６は，２４時間放置の油分の広がり領域８を示す拡散幅９は，１０．０〜１１．７の範囲内であり，また，１４４時間放置の油分の広がり領域８を示す拡散幅９は，１９．０〜２３．８であった。いずれの比較例１〜６でも樹脂フィルム６上での油分の拡散が大きく，満足できるものではなかった。
【産業上の利用可能性】
【００４３】
この発明による非拡散性潤滑剤組成物及び基材表面での基油の拡散防止方法は，精密機器，検査機器，測定機器，電気機器等の各種の機器における軸受部，回転部，摺動部等の潤滑部位の基材表面に塗布して適用して好ましいものである。
【図面の簡単な説明】
【００４４】
【図１】この発明による非拡散性潤滑剤組成物について，基油拡散防止のメカニズムを示す説明図である。
【図２】この発明による非拡散性潤滑剤組成物について，ニジミ試験の測定を示す説明図である。
【符号の説明】
【００４５】
１    非拡散性潤滑剤組成物
２    基材表面
３    基グリース
４    有機溶剤
５    基油拡散防止剤
６    樹脂フィルム
７    評価試料
８    油分の拡散領域
９    油分の拡散幅
１０  混合液
【図１】
2008201901.tif 000005
【図２】
2008201901.tif 000006